(57)【特許請求の範囲】
【請求項１】
基台上に被施術者の指先を固定するステップと、前記指先の爪の上にステンシルを略密着するように載置するステップと、前記ステンシル載置ステップの際にステンシルと固定された指の爪の位置決めをおこない、前記ステンシルの上にインクをインク噴射手段を用いて噴射するステップを含み、前記ステンシル載置ステップとインク噴射ステップを異なるステンシルと異なる色のインクを用いて繰返し、前記インク噴射ステップの後に前記インク噴射手段を洗浄するステップをさらに含むことを特徴とするネールアート施術方法。
【請求項２】
基台と、該基台上に載置される指先固定手段と、前記指先固定手段近傍に設けられたインク噴射手段を含むことを特徴とするネールアート施術装置。
【請求項３】
前記インク噴射手段は前記指先固定手段上にステンシルを供給する手段を含むことを特徴とする請求項２に記載のネールアート施術装置。
【請求項４】
前記指先固定手段は被施術者の指の爪とステンシルの位置決めをするゲージ手段を含み、前記ステンシル供給手段は複数のステンシルを整列重畳するステンシルカートリッジと前記指先固定手段上にステンシルを供給して被施術者の指の爪に略密着するように載置するステンシルフィーダーを含み、前記インク噴射手段は内部の残留インクを排出する洗浄手段を有することを特徴とする請求項３に記載のネールアート施術装置。
【請求項５】
基台と、該基台上に通常は上昇位置をとるように付勢されステンシル保持手段を有する施術フレームと、該施術フレームが上昇位置をとるときに正面外部より該フレームの内側に往復水平移動自在に進入して前記施術フレーム内で施術ポジションにセットされる指先固定手段と、施術フレームの背後に設けられ複数のステンシルを整列重畳するステンシルカートリッジと、前記複数のステンシルにより描出される多色模様と被施術者の爪の位置を合わせるために前記施術フレーム正面側と前記指先固定手段の間に離脱自在に嵌合され前記指先固定手段と前記被施術者の爪を位置決めポジションにセットするゲージ手段と、前記整列重畳されたステンシルのうち一枚を前記施術フレーム内部へ水平移動させて前記ステンシル保持手段に保持させて前記施術ポジションにセットされた指先固定手段に固定された指先の爪の上にて前記ステンシル保持手段に保持させるステンシルフィーダーと、前記施術フレーム内部の施術ポジションにおけるステンシル上に複数の色のインクを順次に噴射する手段と、前記指先固定手段を前記施術ポジションより正面側外部に後退したときに前記施術フレームが下降位置をとるように駆動する手段と、前記ステンシルカートリッジの下部に設けられ前記駆動手段により下降位置をとった施術フレームのステンシル保持手段が保持している使用済みステンシルを捕捉し前記施術フレームの背後に牽引投棄するステンシル回収手段と、各ステンシルを回収後に前記ノズル手段を洗浄するノズル洗浄手段を含むことを特徴とするネールアート施術装置。
【請求項６】
前記ゲージ手段は各ステンシルと同寸法で前記複数のステンシルにより描出される多色模様の輪郭がプリントされた透明部材と該透明部材を被施術者の爪に略密着するように保持するゲージを含むことを特徴とする請求項５に記載のネールアート施術装置。
【請求項７】
前記噴射手段は前記基台に接続され圧縮空気を供給するコンプレッサーと、前記コンプレッサーより圧縮空気を供給され起立位置と傾倒位置をとるように設けられ該起立位置における最下端部に設けられたノズルにより噴出するように構成されたノズル手段と、該ノズル手段の下で中央にパイプ挿通孔が形成されステップワイズ回転するターンテーブルと、該ターンテーブル上に取り付けられた複数色のインクビンをセットしたインクカートリッジと、前記パイプ挿通孔に挿入され起立位置をとるノズル手段のノズルと前記施術フレーム間を結合するパイプと、前記インクカートリッジ内の各インクビンに対向するように前記ノズル手段に設けられノズル手段にインクを導入するインク吸引孔を含むことを特徴とする請求項６に記載のネールアート施術装置。
【請求項８】
前記ステンシル回収手段は前記ステンシルフィーダーの下部に取付けられ先端が鉤状のフック部材と、前記ステンシルカートリッジの下に設けられ外部に引き出し可能なごみ箱を含むことを特徴とする請求項６に記載のネールアート施術装置。
【請求項９】
前記ノズル洗浄手段は前記蝶番手段を前記ターンテーブルの上方に位置する噴射ポジションと前記ターンテーブルから離れた洗浄ポジションと間を往復動自在に水平移動させる案内手段と、前記洗浄ポジションにおいて起立位置をとる前記ノズル手段のインク吸引孔の下方に形成された洗浄液注入孔と前記ノズル手段のノズルの下方に形成された使用済み洗浄液の排出孔を有する洗浄タンクと、該洗浄液注入孔に連通する着脱自在の洗浄液貯留タンクと、前記使用済み洗浄液排出孔に連通する着脱自在の洗浄廃液貯留タンクを含むことを特徴とする請求項７に記載のネールアート施術装置。
【請求項１０】
前記洗浄廃液貯留タンクは前記ごみ箱に連通する活性炭のフィルター付き臭気排出孔を有することを特徴とする請求項９に記載のネールアート施術装置。
【請求項１１】
前記ノズル手段は通常は上昇位置をとるように付勢されネールアート施術時には前記ノズルは前記パイプ内に延長すると共に前記インク吸引孔は各インクビンに連結され、ノズル洗浄時には前記インク吸引孔は前記洗浄液注入孔に押圧されると共に前記ノズルは前記使用済み洗浄液排出孔に押圧されるように前記付勢に抗して下降位置をとりロックされることを特徴とする請求項５に記載のネールアート施術装置。
【発明の詳細な説明】
【０００１】
【発明の属する技術分野】
本発明は、ネールアート施術方法 およびその装置に関するものであり、さらに詳しくは美容室やエステティックサロンにて安価で迅速、しかもクオリティの高いネールアートを実施することができる業務用のネールアート施術方法 及びその装置に関するものである。
【０００２】
【従来の技術】
近年、消費生活水準の向上に伴い一般のユーザー、特に女性の間でネールアートが盛んに行われるようになり、一時的なブームから最近では一般的な美容上のお洒落として広く定着してきておりネールサロンの開店件数も増加しており、さらに催し物などが全国で開かれるほど認知度が上がってきている。
【０００３】
【発明が解決しようとしている課題】
しかし、その反面でユーザーにとってネーリスト数が不充分であったり、その個々の技術により出来映えに大きな差が生じたり、完成するまで１、２時間要したり、また料金体系が曖昧であるために時には非常に高額である場合もありさまざまな問題が生じてきている。
【０００４】
本発明は、以上の問題を解決せんとする意図のもとになされたものであり、その目的とするところは、均質な出来映えのネールアートを、安価で、且つ迅速に顧客に提供することにある。
【０００５】
【課題を解決するための手段】
以上の目的を実現するために本発明の請求項１に記載の方法は、その手段として、基台上に被施術者の指先を固定するステップと、前記指先の爪の上にステンシルを略密着するように載置するステップと、前記ステンシル載置ステップの際にステンシルと固定された指の爪の位置決めをおこない、前記ステンシルの上にインクをインク噴射手段を用いて噴射するステップを含み、前記ステンシル載置ステップとインク噴射ステップを異なるステンシルと異なる色のインクを用いて繰返し、前記インク噴射ステップの後に前記インク噴射手段を洗浄するステップをさらに含むことを要旨とする。
【０００６】
また請求項２に記載の装置は、その手段として、基台と、該基台上に載置される指先固定手段と、前記指先固定手段近傍に設けられたインク噴射手段を含むことを要旨とする。
【０００７】
また請求項３に記載の装置は、その手段として、前記インク噴射手段は前記指先固定手段上にステンシルを供給する手段を含むことを要旨とする。
【０００８】
また請求項４に記載の装置は、その手段として、前記指先固定手段は被施術者の指の爪とステンシルの位置決めをするゲージ手段を含み、前記ステンシル供給手段は複数のステンシルを整列重畳するステンシルカートリッジと前記指先固定手段上にステンシルを供給して被施術者の指の爪に略密着するように載置するステンシルフィーダーを含み、前記インク噴射手段は内部の残留インクを排出する洗浄手段を有することを要旨とする。
【０００９】
また請求項５に記載の装置は、その手段として、基台と、該基台上に通常は上昇位置をとるように付勢されステンシル保持手段を有する施術フレームと、該施術フレームが上昇位置をとるときに正面外部より該フレームの内側に往復水平移動自在に進入して前記施術フレーム内で施術ポジションにセットされる指先固定手段と、施術フレームの背後に設けられ複数のステンシルを整列重畳するステンシルカートリッジと、前記複数のステンシルにより描出される多色模様と被施術者の爪の位置を合わせるために前記施術フレーム正面側と前記指先固定手段の間に離脱自在に嵌合され前記指先固定手段と前記被施術者の爪を位置決めポジションにセットするゲージ手段と、前記整列重畳されたステンシルのうち一枚を前記施術フレーム内部へ水平移動させて前記ステンシル保持手段に保持させて前記施術ポジションにセットされた指先固定手段に固定された指先の爪の上にて前記ステンシル保持手段に保持させるステンシルフィーダーと、前記施術フレーム内部の施術ポジションにおけるステンシル上に複数の色のインクを順次に噴射する手段と、前記指先固定手段を前記施術ポジションより正面側外部に後退したときに前記施術フレームが下降位置をとるように駆動する手段と、前記ステンシルカートリッジの下部に設けられ前記駆動手段により下降位置をとった施術フレームのステンシル保持手段が保持している使用済みステンシルを捕捉し前記施術フレームの背後に牽引投棄するステンシル回収手段と、各ステンシルを回収後に前記ノズル手段を洗浄するノズル洗浄手段を含むことを要旨とする。
【００１０】
また請求項６に記載の装置は、その手段として、前記ゲージ手段は各ステンシルと同寸法で前記複数のステンシルにより描出される多色模様の輪郭がプリントされた透明部材と該透明部材を被施術者の爪に略密着するように保持するゲージを含むことを要旨とする。
【００１１】
また、請求項７に記載の装置は、前記噴射手段は前記基台に接続され圧縮空気を供給するコンプレッサーと、前記コンプレッサーより圧縮空気を供給され起立位置と傾倒位置をとるように設けられ該起立位置における最下端部に設けられたノズルにより噴出するように構成されたノズル手段と、該ノズル手段の下で中央にパイプ挿通孔が形成されステップワイズ回転するターンテーブルと、該ターンテーブル上に取り付けられた複数色のインクビンをセットしたインクカートリッジと、前記パイプ挿通孔に挿入され起立位置をとるノズル手段のノズルと前記施術フレーム間を結合するパイプと、前記インクカートリッジ内の各インクビンに対向するように前記ノズル手段に設けられノズル手段にインクを導入するインク吸引孔を含むことを要旨とする。
【００１２】
また請求項８に記載の装置は、その手段として、前記ステンシル回収手段は前記ステンシルフィーダーの下部に取付けられ先端が鉤状のフック部材と、前記ステンシルカートリッジの下に設けられ外部に引き出し可能なごみ箱を含むことを要旨とする。
【００１３】
また請求項９に記載の装置は、その手段として、前記ノズル洗浄手段は前記蝶番手段を前記ターンテーブルの上方に位置する噴射ポジションと前記ターンテーブルから離れた洗浄ポジションと間を往復動自在に水平移動させる案内手段と、前記洗浄ポジションにおいて起立位置をとる前記ノズル手段のインク吸引孔の下方に形成された洗浄液注入孔と前記ノズル手段のノズルの下方に形成された使用済み洗浄液の排出孔を有する洗浄タンクと、該洗浄液注入孔に連通する着脱自在の洗浄液貯留タンクと、前記使用済み洗浄液排出孔に連通する着脱自在の洗浄廃液貯留タンクを含むことを要旨とする。
【００１４】
また請求項１０に記載の装置は、その手段として、前記洗浄廃液貯留タンクは前記ごみ箱に連通する活性炭のフィルター付き臭気排出孔を有することを要旨とする。
【００１５】
また請求項１１に記載の装置は、その手段として、前記ノズル手段は通常は上昇位置をとるように付勢されネールアート施術時には前記ノズルは前記パイプ内に延長すると共に前記インク吸引孔は各インクビンに連結され、ノズル洗浄時には前記インク吸引孔は前記洗浄液注入孔に押圧されると共に前記ノズルは前記使用済み洗浄液排出孔に押圧されるように前記付勢に抗して下降位置をとりロックされることを要旨とする。
【００１６】
【発明の実施の形態】
以下に、本発明を図面を参照してさらに詳細に説明する。なお、図１は本発明にかかる自動ネールアート施術装置の全体を示す斜視図であり、図２は本発明にかかる自動ネールアート施術装置の側断面図であり、図３は被施術者の指の固定の際の位置決めのためのゲージ手段の取り付け要領を示す斜視図である。
【００１７】
また、図４は本発明にかかる自動ネールアート施術装置の側断面図による動作説明図である。図５はゲージ手段のうち指に描出される多色模様の輪郭をプリントした透明部材の斜視図であり、図６は図３で示されたゲージ手段を使用した指の固定の位置決めされ状態を示す斜視図である。
【００１８】
また、図７はネールアート施術中における一部を省略した主要部の斜視図であり、図８は本発明にかかるネールアート施術装置の施術の動作を断面で示した説明図であり、図９は本発明にかかるネールアート施術装置の平面図であり、図１０は本発明にかかるネールアート施術装置の背面図であり、図１１は本発明にかかるネールアート施術装置の正面図であり、図１２は本発明において使用するステンシルの斜視図である。
【００１９】
図１において、１は本発明にかかるネールアート施術装置の基台、２は該基台１の上に設けられた施術部、３は被施術者の指を固定するための指先固定部、４は被施術者の指に多色模様を描出するために使用する複数のステンシルを収納するステンシルカートリッジ、５は被施術者の指先を固定する際に使用するゲージ、６は前記ステンシルカートリッジ４内のステンシルのうち最下段の一枚を前記施術部２に移動させるステンシルフィーダー、７は前記施術部２に複数の色のインクを順次噴射するためのインク噴射部である。
【００２０】
前記基台１は全体が板金で形成した筐体でありその上に前記施術部２、指先固定部３、ステンシルカートリッジ４、ステンシルフィーダー６、インク噴射部７がそれぞれ立設されている。前記施術部２は、図２に示すように基台１の比較的前方部に立設されたハウジング２０内に施術フレーム２１が通常は上昇位置をとるように付勢された状態で設けられている。
【００２１】
すなわち、前記基台１の上面で施術部２の立設されている前方部は公知の方法で取り外し可能となっておりカバー１０で通常は覆われて基台１の輪郭を保持しているが取り外すと基台１内の空所が１０′が覗けるようになっている。そして該空所１０′内にはプランジャー８０が固定されて該プランジャー８０により軸回転自在に駆動される水平軸８１に取付けられた一対の駆動棹８２の先端部には支持板８３が垂直に固定されており、該支持板８３にさらに先端に切り欠きが形成されている支持ブラケット８４が固定されている。
【００２２】
一方、前記施術フレーム２１は一対の脚部２２が垂下して前記空所１０′内に臨み、先端に取付けられた係合ピン２３が前記支持ブラケット８４の切欠きに係合している。そして、前記水平軸８３は通常は前記駆動悍８２を上方に回動させて図４中で実線位置をとるようにバネ等の公知の方法で付勢されている。
【００２３】
このため前記支持板８３に支持された前記施術フレーム２１は通常は前記基台１上で所定高さに維持された状態でハウジング２０内に収容されている。そして該ハウジング２０はその天井部にパイプ挿通孔（図示せず）が形成されている。
【００２４】
そして、施術部２の背後の基台１上には正面側に開口した空所Ｃを有する隆起台部１ａが設けられており、該隆起台部１ａの上のレベル、すなわち、前記所定高さに維持された施術フレーム２１の背面側にはステンシルカートリッジ４が設けられており、本発明で実施するネールアート用の複数のステンシルＳが整列重畳した状態で収納されている。そして前記ステンシルカートリッジ４の背面壁４０の最下部は切欠き４′が形成されている。
【００２５】
また、図３に示すように前記指先固定部材３は一枚の板金より形成した全体がチャンネル状の基部３０に円筒形の合成樹脂製部材３１がピン３２で取付けられている。そして前記合成樹脂製部材３１の内部から指先載置台３４が基部３０のチャンネル状構造の中央線上に延長するように取付けてある。一方、該合成樹脂製部材３１は内部が図１に示す公知のゴム製ポンプ３３で空気を送りこむことにより膨張させて挿入した指を締めつけて固定するようになっている。
【００２６】
前記ステンシルカートリッジ４のさらに背後に設けられたステンシルフィーダー６は図４に示す垂直部６１と水平部６２からなり、該ステンシルフィーダ６の水平部６２は前記背面壁４０の切欠き４′を通って前記隆起台１ａ上を正面方向に滑動するためその先端がステンシルカートリッジ内に収納された最下段のステンシルＳの後端に当接し前方において前記所定高さに維持される施術フレーム２１内に移送する。
【００２７】
前記施術フレーム２１はその両側下端部にステンシルの基部を案内する保持溝２１ａが形成されているので前記ステンシルフィーダー６の水平部６２によって移送されたステンシルＳは前記保持溝２１ａにステンシルの基部が嵌合して施術フレーム２１にステンシルＳが装填される。前記ステンシルフィーダー６の下部には先端が鉤状のフック部材９０が設けられている。
【００２８】
該フック部材９０はステンシルフィーダー６の後退によって捕捉された使用済みステンシルを前記施術フレーム２１の背後であって前記ステンシルカートリッジの下に設けられている前記空所Ｃまで牽引し該空所の下に設けたごみ箱９１に投棄するように構成されている。さらに該ごみ箱はファン（図示せず）が取付けられており且つ外部に引き出し可能になっている。
【００２９】
前記複数のステンシルＳにより描出される多色模様と被施術者の爪の位置を合わせるために前記施術フレーム２１を収容したハウジング２０に対して、図３に示すようにゲージ部材５を嵌合する。すなわち、前記ゲージ部材５は内径が前記ハウジング２０の外径と略同じのチャンネル状の垂直壁５１と該垂直壁５１に取付けられた水平支持部５２からなっている。該水平支持部５２の上には溝形成板５３が取付けられていて前記水平支持部５２との間で溝５２′が形成されている。
【００３０】
そして、図５に示すように基部５５と隆起した指先挿入部５６を有する全体が透明であり弾性を有する材質で形成され且つ前記ステンシルＳと同寸法な透明部材５４が別途用意されている。前記指先挿入部５６には前記複数のステンシルＳにより描出される多色模様５７の輪郭がプリントされており、空気流調整穴５８が形成されている。そして、基部５５を前記ゲージ部材５の溝５２′に挿入した状態で前記ゲージ部材５を施術部２のハウジング２０に上から摺動降下させて嵌合させ図６に示すように前記指先固定部材３上に載置する。
【００３１】
ところで前記基台の前方部のカバー１０は、図１に示すように天井壁部１０ａと垂直壁部１０ｂからなり断面Ｌ字型に屈折しており、その角部に一対の差込みスリット１０ｃが形成されている。該差込みスリット１０ｃに前記指先固定部材３の基部３０の下縁部に屈曲することで形成された挿入案内片３０ａが挿入されることで該指先固定部材が基台１に取付けられるが、同時に取付けられるゲージ部材５に当接することで固定された指の爪の前進後退方向の位置決めが行われる。
【００３２】
一方、前記ポンプ３３の手動による加圧操作を加減することで指を多少軸回転させて前記透明部材５４の指先挿入部にプリントされた模様５７と爪の位置を一致させることで図６に示すように横方向の位置決めが行われる。（図６）さらに前記ゲージ部材５をハウジング２０から取り外し、図７に示すように前記指先固定部材３とその上に固定された指ををさらにハウジング２０に対して押込み嵌合させる。
【００３３】
図２は指先固定部材３が施術部２に挿入されていない状態を実線で示している。そしてゲージ５で位置決めをしたのち該ゲージ５を取り除き該指先固定部材３を図８の仮想線で示すように施術部２に挿入した後にステンシルフィーダー６を正面側に押してステンシルカートリッジ４に整列重畳された複数のステンシルＳのうち最下段の一枚を前記施術部２内に送る。このようにして、ステンシルフィーダー６によりステンシル保持溝２１ａを有する前記施述フレーム２１にステンシルＳが装填される。該ステンシルＳは図１２に示すように基部Ｓ1と該基部Ｓ1から隆起した状態で指を受け入れる指先挿入部Ｓ2からなり、該指先挿入部Ｓ2は弾性のある材質で指に略密着する形状を有している。そして、その上には前記透明部材５４にプリントされている多色模様の輪郭の一部が刷られるようにインク通孔Ｓ3が形成されており、ステンシル毎にその部分が異なり、異なるインクをそれぞれ順次使用することで全体として多色の模様が爪に描出されるように予めデザインされている。
【００３４】
一方、図１に示すように前記基台１上の隆起台部１ａの背後には支持タワー１ｂが立設されており、基台１にコンプレッサー（図示せず）が接続されている。そして、該前記基台１に起立する該支持タワー１ｂにはブリッジ１ｃが支持されている。さらに、該ブリッジ１ｃ上には一対のガイドレール１ｄと、該ガイドレール１ｄに案内される蝶番固定板１ｅと、該蝶番固定板１ｅに固定された蝶番１ｆと、該蝶番１ｆにより回動されるタンク支持板１ｇが設けられている。（図９）
【００３５】
そして、該タンク支持板１ｇ上には中央部にタンク挿通孔（図示せず）が形成されており、その横にタンクロック部材７０ａが起立した状態で固定されている。該タンクロック部材７０ａは前記タンク挿通孔側に公知のバネ等の手段（図示せず）で該タンク挿通孔に挿通させた前記インク噴射タンク７０を付勢するように支持している。
【００３６】
そして前記タンクロック部材７０ａは頂部付近に留め金７０ｂを回動自在に設けており付勢に抗して手動で下側に押し下げられた噴射タンク７０の頭部をロックする。さらに該インク噴射タンク７０の底部にはノズル７５が形成されている。
【００３７】
さらに、前記インク噴射タンク７０の下方には支持タワー１ｂに取付けられたターンテーブル支持台１ｈが張り出しており、該ターンテーブル支持台１ｈの上で中央にパイプ挿通孔（図示せず）が形成されており且つステップワイズ回転可能なターンテーブル１ｉが固定される。そして、該ターンテーブル支持台１ｈも中央にパイプ挿通孔(図示せず)が形成されている。そして該ターンテーブル１ｉ上には複数の異なる色のインクビン７２が環状に整列してセットされたインクカートリッジ７３が取付けられている。インクとしては水性アクリルインクが業務上好ましい。
【００３８】
そして、前記インク噴射タンク７０が蝶番１ｆの作用で起立位置を取るときに前記ノズル７５は前記施術フレーム２１の真上に位置するが、これを噴射ポジションと称する。そしてターンテーブル支持台１ｉとターンテーブル１ｉの中央部に形成されたパイプ挿通孔（図示せず）と前記ハウジング２０の天井部に形成されたパイプ挿通孔（図示せず）に挿通され起立位置をとるインク噴射タンク７０のノズル７５と前記施術フレーム２１の間を連通させるパイプ７６が設けられている。
【００３９】
一方、前記ターンテーブル１ｉ上のインクカートリッジ７３に装填されているインクビン７２に一つに対向してインク噴射タンク７０の下側にはインク吸引口７６が形成されていてステップワイズ回転する前記ターンテーブル１ｉの回転により各インクビン７２に順次連通してインクをインク噴射タンク７０内に導入するようになっている。（図９）
【００４０】
そして、前記基台１の背後にはメインスイッチ１ｊ，ＡＣ電源ケーブル１ｋ，コンプレッサープラグ１ｌが設けられており、図示しないコンプレッサーに接続されている。前記メインスイッチ１ｊは前記ＡＣ電源ケーブル１ｋに接続されており電源ＯＮすることにより装置全体が通電状態になる。また、前記基台１の背後にはファンスイッチ１ｍが設けられており前記ごみ箱９１内のファン（図示せず）を作動させる。
【００４１】
さらに、前記ブリッジ１ｃ内にはインク洗浄タンク１０が設けられており、該インク洗浄タンク１０には洗浄タンク用メインスイッチ１０ａが設けられ洗浄タンク周りのさらなるスイッチ切替動作のために通電させる。その状態で動作させるために前記インク洗浄タンク１０にはさらにプランジャー駆動スイッチ１０ｂとコンプレッサー駆動スイッチ１０ｃが設けられている。
【００４２】
さらに前記基台１の背面には前記図示しないコンプレッサーからのエアホース（図示せず）を嵌めこむエアホース挿入口１ｎが設けられており（図１０）前記コンプレッサープラグ１ｌに接続されたコンプレッサーを前記コンプレサー駆動スイッチ１０ｃをＯＮすることにより前記インク噴射タンク７０内に圧縮空気を供給する。
【００４３】
また、図９に実線で示したように蝶番固定板１ｅは前記噴射ポジションから前記ターンテーブル１ｉから離れた位置に往復動自在に水平移動して２点鎖線で示す洗浄ポジショントで停止できるようにガイドレール１ｄ上に嵌合されている。
【００４４】
そして該洗浄ポジションにおいて前記インク用タンク７０の下方にはインク洗浄タンク１０が設けられており、該インク洗浄タンク１０の上部に前記インク噴射タンク７０のインク吸引口７６とノズル７５に対向するようにそれぞれ使用済み洗浄液の排出口１０ｄと洗浄液注入口１０ｅが設けられている。
【００４５】
さらに前記支持タワー１１の背後では前記基台１上に洗浄廃液貯留タンク１０ｆと洗浄液貯留タンク１０ｇとが設けられそれぞれ前記インク洗浄タンク１０にパイプを介して連通している。さらに、前記洗浄廃液貯留タンク１０ｆは活性炭のフィルター付き臭気排出孔が形成されており、パイプを介して前記ごみ箱９に連通しており前記ファンを駆動することによりインクの臭気を排出することができるようになっている。
【００４６】
前述のとおり構成した本発明にかかる自動ネールアート施術装置の動作を以下に説明する。
【００４７】
まず、メインスイッチ１ｊをＯＮして装置に通電させる。そして一セットのステンシルＳを図２に示すようにステンシルカートリッジ４に装填する。しかるのち、図３に示すように透明部材５４をゲージ部材５に装填して該ゲージ部材５のチャンネル状基部５１をハウジング２０に嵌合させて摺動降下させる。
【００４８】
それと同時に前記指先固定部材の基部３０の屈曲部３０ａを前記カバー１０の屈曲部に形成されたスリット１０ｃに挿入させると同時に前記ゲージ５に当接させて位置決めポジションに停止する。図１はこの状態を示すものである。
【００４９】
そして、被施術者は指を前記指先固定部材３の合成樹脂製部材３１に挿入して指先を指先載置部材３４上に載置させる。ついでポンプ３３を手動で操作し前記合成樹脂製部材３１の内部を膨張させながら指先を若干軸回転させる。これによりゲージ５に装填させた透明部材５４にプリントされた模様の輪郭にあわせて爪の位置を調整する。そして位置決めが最終的に決まるとさらにポンプで空気を合成樹脂製部材内に送り込み指を固定する。
【００５０】
次に、前記ゲージ５を取り外し前記指先固定部材の指先載置部材３４をハウジング２０の正面に形成した開口部２０ａに挿入させて図７に示すように停止させる。それと共に図４に示すように前記ステンシルフィーダー６を手動で正面側へ移動させる。これによりステンシルフィーダー６の水平部６２がステンシルカートリッジ４内に装填された複数のステンシルＳのうち最下段にあるものを正面方向へ送る。
【００５１】
このように送られたステンシルＳは、施術フレーム２１のステンシル保持溝２１ａ内に装填される。このとき指先固定部材３により固定された被施術者の指の爪が待機しておりその爪の上にステンシルが臨む状態となる。この状態で洗浄タンク１０に設けられているプランジャー用スイッチ１０ｂをＯＮすると前記プランジャー８０が励起して水平軸８３を反時計方向に回動させ前記駆動悍８２、前記支持板８３、前記一対の脚部２２を介して前記施術フレーム２１がバネの付勢に抗して降下する。そして被施術者の爪のうえに略密着した状態で停止する。この場合、指先固定部材３の位置とステンシルフィーダー６のストロークの設計はステンシルＳが正確に爪の上に位置するように予め設定されている。
【００５２】
つぎに支持タワー１ｂの上に取り付けられた前記噴射タンク７０をガイドレール１ｄに沿って噴射位置にセットする。そして噴射タンク７０を手で押圧してロック部材７０ａに沿って降下させロック片７０ｂを回動させてロックすると前記ノズル７５は前記パイプ７６内に挿入された状態で当接する。
【００５３】
この状態でコンプレッサー駆動スイッチ１０ｃをＯＮするとコンプレッサーが駆動され圧縮空気がエアホース挿入口１ｎを介してインク噴射タンク７０内に供給される。このＯＮ動作と共に前記ファンスイッチ１ｍをＯＮすると前記ごみ箱９１のファンを駆動して圧縮空気を外部に排気するよう動作させる。
【００５４】
一方、前記インク噴射タンク７０を手動で下に押圧し降下させ前記ロック片７０ｂを回動させてロックすると、ノズル７５はパイプ７６に対して密着押圧されて圧縮空気は前記施術フレーム２１内に噴出される。それと同時に、前記インク噴射タンク７０の下側に形成されたインク吸引口７６が対向する位置に待機している一つのインクビン７２に連通して一つの色、例えば赤色のインクをインク噴射タンク内に吸引する。
【００５５】
その結果、該赤色のインクが圧縮空気と混合された状態でノズル７５を介して施術フレーム２１内に待機している赤色インクをプリントする穴を所定位置に有するステンシルＳ噴射されるためにさらにその下に密着した状態でセットされた指先の爪に前記赤色インクがプリントされる。
【００５６】
そのプリントが終了すると、前記コンプレッサー駆動スイッチをＯＦＦにするとともにプランジャー用スイッチ１ｊをＯＦＦにするとともに前記ポンプ３３を操作して指先固定部材３を緩めて指を抜き取り、他の指を指先固定部材３に挿入して再びコンプレッサー駆動スイッチをＯＮする。このようにして所望の指の所定位置に赤色のインクをプリントしたら当該使用済みステンシルＳを回収する。
【００５７】
すなわち、前記コンプレッサー駆動スイッチ１ｃがＯＦＦの状態であるが洗浄タンク１０に設けられているプランジャー用スイッチ１ｊを再びＯＮにすると、前記プランジャー８０が励起して水平軸８３を反時計方向に回動させ前記駆動悍８２、前記支持板８３、前記一対の脚部２２を介して前記施術フレーム２１がバネの付勢に抗して降下する。
【００５８】
それにより、前記施術フレーム２１は背後にある前記空所Ｃに臨む状態になり、保持されている使用済みステンシルＳは、待機している前記フック部材９０に捕捉される。そして前記ステンシルフィーダー６を後退させると捕捉された使用済みステンシルＳを前記空所Ｃ内まで牽引して該空所Ｃの下に設けられたごみ箱９１内に投棄する。
【００５９】
つぎに、赤色に染まったステンシル噴射タンクの内部及びその周囲の洗浄を行う。すなわち、前記インク噴射タンク７０からロック片７０ｂを外して上昇させ図９に示すように前記蝶番固定板１ｅを手動で噴射ポジションから洗浄ポジションに移動させると前記噴射タンク７０は前記インクカートリッジ７２を離れてガイドレール１ｄ上を移動して２点斜線で示すように洗浄ポジションにて停止させる。
【００６０】
そして噴射タンク７０を押し下げて前記洗浄タンクロック部材７０ａでロックすると前記噴射タンクのノズル７５とインク吸引口７６は前記使用済み洗浄液の排出口１０ｄと洗浄液注入口１０ｅに嵌合して連通する。この状態で、コンプレッサー駆動スイッチ１０ｃをＯＮすると吸引された圧縮空気が洗浄液貯留タンク１０ｇから吸引された洗浄液と共に前記洗浄タンク１０を介して前記噴射タンク７０内に導入されて内部を洗浄する。
【００６１】
それにより使用済みの洗浄廃液は前記ノズル７５を介して洗浄廃液貯留タンク１０ｆ内に排出する。そしてコンプレッサー駆動スイッチ１０ｃをＯＦＦしてコンプレッサーの動作を停止させる共にプランジャー用スイッチ１０ｂをＯＦＦにすると前記施術フレーム２１は再び付勢されて上昇する。
【００６２】
つぎに段落番号００５０から段落番号００６５まで記述した手順を繰返すことにより異なる色とデザイン配置を有するステンシルを用いて被施術者の爪に上に所定も模様を描出する。そして最後にメインスイッチ１ｊをＯＦＦにすることで本発明によるネールアートの施術を終了する。
【００６３】
以上、本発明にかかるネールアート施術装置は複数のステンシルを使用して多色模様を描出するような構成としたが、本発明はこれに限定されるものではなく使用されるステンシルが一枚のみで単色の模様を描出するためステンシルカートリッジに代えて適宜ステンシル供給手段を設けてそれに対応して噴射タンクを洗浄する手段を省略してもよい。あるいはステンシルを使用せず爪の上に模様でなく無地の着色を施してもよい。
【００６４】
【発明の効果】
本発明は被施術者の指先を固定しその上にインクを噴射して爪のうえにインクで模様を描出したのでネールアートが簡単に行えるためにネーリストの技量に左右されることなく短時間でクォリティの高い施術が実行でき、業務用として安価で競争力の高いサービスを提供できる利点があり、時間的には指を１０本仕上げると従来１乃至２時間要していたものが１５乃至２０分程で仕上がる効果がある。
【００６５】
またインクの噴射の際にステンシルを載置するステップとインクを噴射するステップを異なるステンシルと異なる色のインクを用いて繰返し、ステンシルを載置する際にはステンシルと指の爪の位置決めをおこなうので多色の模様が短時間、安価で且つクォリティが高いサービスが提供できる。
【００６６】
また、またステンシルを載置するステップとインクを噴射手段を用いて噴射するステップを異なるステンシルと異なる色のインクを用いて繰返し、ステンシルを載置する際にはステンシルと指の爪の位置決めをおこない、前記噴射手段を洗浄するステップをさらに加えたので、同一の噴射手段が何回も使用でき機材の購入が楽になる利点がある。
【００６７】
また、本発明は基台と指先固定手段とステンシル供給手段とインク噴射手段を含む装置を構成しているのでネールアートが簡単に行えるためにネーリストの技量に左右されることなく短時間でクォリティの高い施術が実行でき、業務用として安価で競争力の高いサービスを提供できる利点がある。
【００６８】
また、本発明は基台と指先固定手段とステンシル供給手段とインク噴射手段に加えて、被施術者の爪とステンシルの位置決めをするゲージ手段と、ステンシル供給手段としてステンシルカートリッジを使用し、さらにインク噴射手段を洗浄する手段を設けたので多色の模様を簡単、短時間に、しかも安価に提供でき業務用として競争力の高いサービスが提供できる。
【００６９】
また、本発明にかかるネールアート施術装置は基台と、施術フレームと、指先固定手段と、ステンシルカートリッジと、ゲージ手段と、ステンシルフィーダーと、施術フレーム駆動手段と、使用済みステンシル回収手段と、ノズル洗浄手段を設けたので複数の異なる色のインクを使用して多色の模様を被施術者の爪に描出する工程が一連に実施でき、短時間でクォリティの高いネールアートのサービスが提供できる。
【００７０】
また、前記ゲージ手段は各ステンシルと同寸法で且つ前記複数のステンシルで描出される多色模様の輪郭がプリントされた透明部材を用いてゲージで爪に密着するようにしたので模様のずれがなくクォリティの優れた多色模様が描出されるという効果がある。
【００７１】
また、ノズル手段に対してインクカートリッジを対向させるようにステップワイズ回転するターンテーブルを設けてノズル手段とインクビンを連通させたのでインクの供給がスムースに実行できるという効果がある。
【００７２】
また、ステンシル回収手段としてステンシルフィーダーに先端が鉤状のフックを設けて使用済みステンシルを捕捉回収し外部に引き出し可能なごみ箱に投棄するので新たなステンシルを供給する準備と連動して行える利点がある。
【００７３】
また、洗浄廃液貯留タンクはごみ箱に連通する活性炭のフィルター付き臭気排出孔が設けられているのでインクの臭気が装置内にこもらないと同じに外部にも臭気を出さない効果がある。
【００７４】
また、前記ノズル手段は通常は上昇位置に付勢されネールアート施術時やタンク洗浄時には下降位置にロックされるので施術時と洗浄時の移行の段階がスムースに行われる効果がある。
【図面の簡単な説明】
【図１】本発明にかかる自動ネールアート施術装置の全体を示す斜視図である。
【図２】本発明にかかる自動ネールアート施術装置の側断面図である。
【図３】被施術者の指の固定の際の位置決めのためのゲージ手段の取り付け要領を示す斜視図である。
【図４】本発明にかかる自動ネールアート施術装置の側断面図による動作説明図である。
【図５】ゲージ手段のうち指に描出される多色模様の輪郭をプリントした透明部材の斜視図である。
【図６】図３で示されたゲージ手段を使用した指の固定の位置決めされ状態を示す斜視図である。
【図７】ネールアート施術中における一部を省略した主要部の斜視図である。
【図８】本発明にかかるネールアート施術装置の施術の動作を断面で示した説明図である。
【図９】本発明にかかるネールアート施術装置の平面図である。
【図１０】本発明にかかるネールアート施術装置の背面図である。
【図１１】本発明にかかるネールアート施術装置の正面図である。
【図１２】本発明において使用するステンシルの斜視図である。
【符号の説明】
１  基台
２  施術部
２０  ハウジング
２１  施術フレーム
３  指先固定部
３０  基部
３４  指先載置台
４  ステンシルカートリッジ
５  ゲージ手段
５４  透明部材
６  ステンシルフィーダー
７  噴射部
７０  噴射タンク
７２  インクビン
７３  インクカートリッジ
７５  ノズル
７６  パイプ
８０  プランジャー
８１  水平軸
９０  フック部材
９１  ごみ箱
Ｓ  ステンシル
１０  洗浄タンク
１０ｆ  洗浄廃液貯留タンク
１０ｇ  洗浄液貯留タンク
【図１】
0003615689.tif 000002
【図２】
0003615689.tif 000003
【図３】
0003615689.tif 000004
【図４】
0003615689.tif 000005
【図５】
0003615689.tif 000006
【図６】
0003615689.tif 000007
【図７】
0003615689.tif 000008
【図８】
0003615689.tif 000009
【図９】
0003615689.tif 000010
【図１０】
0003615689.tif 000011
【図１１】
0003615689.tif 000012
【図１２】
0003615689.tif 000013